(57)【要約】【課題】柱上変圧器のタップ切換を行なう場合に、現在の接続状態を確認すると共に、目的とする変圧状態まで昇圧または降圧するタップ位置までタップ切換することができる無停電タップ切換確認装置を提供するものである。【解決手段】タップ切換装置５の操作棒１０に、切換前のタップ位置から目的とする変圧状態のタップ位置まで、切換用操作棒１０の回転範囲を規制するタブレット２４を取付けると共に、タップ切換装置５に、柱上変圧器１４のタップ台１６に設けられた複数のタップ端子１〜４に接続する可動接触子２０Ａ〜２０Ｄを設け、これに接続したタップ端子１〜４間の電圧を測定するタップ端子間電圧測定回路５０を設け、これと切換前のタップ端子間規定電圧とを比較する比較回路５２を設け、タップ端子間測定電圧がタップ端子間規定電圧の範囲を外れた時に警報を出す警報回路５３を設けたものである。【選択図】図１
2004221403.tif 000002
【特許請求の範囲】
【請求項１】
切換用操作棒を順次回転してタップ端子の接続状態を切換えるタップ切換装置の前記操作棒に、切換前の変圧状態のタップ位置から目的とする変圧状態まで昇圧または降圧するタップ位置まで、切換用操作棒の回転範囲を規制するタブレットを取付けると共に、タップ切換装置に、柱上変圧器のタップ台に設けられた複数のタップ端子に接続する接続端子を設け、この接続端子に接続されて柱上変圧器のタップ端子間の電圧を測定するタップ端子間電圧測定回路を設け、このタップ端子間測定電圧と切換前の変圧状態により規定されたタップ端子間規定電圧とを比較する比較回路を設け、タップ端子間測定電圧がタップ端子間規定電圧の範囲を外れた時に警報を出す警報回路を設けたことを特徴とする柱上変圧器無停電タップ切換確認装置。
【請求項２】
切換用操作棒の側面にストッパーが突設され、タブレットの上面の扇形部分の端部にタップバーの取付けと取外しの指示標が形成され、この両側に扇形状の段部が突設され、前記ストッパーが段部の端面に当接して、切換用操作棒の回転範囲を規制するようにしたことを特徴とする請求項１記載の柱上変圧器無停電タップ切換確認装置。
【請求項３】
切換用操作棒が上部と下部の２分割構造をなし、下部切換用操作棒の上部に、回転円板部を着脱自在に取付けると共に、これを囲んでリング状のタブレットを着脱自在に取付けて、上部切換用操作棒を下部切換用操作棒から取外して、前記回転円板部とタブレットを交換できるようにしたことを特徴とする請求項２記載の柱上変圧器無停電タップ切換装置。
【請求項４】
タップ切換装置が、切換用操作棒を順次回転してタップ位置を切換えるタップ切換器と、前記タップ切換器の下部に設けられ、柱上変圧器のタンク内に設けられたタップ台に取付けるタップ台取付部と、タップ台の上面に設けられた複数のタップ端子と着脱自在に嵌合する可動接触子とから構成されていることを特徴とする請求項１記載の柱上変圧器無停電タップ切換確認装置。
【発明の詳細な説明】
【０００１】
【発明の属する技術分野】
本発明は柱上変圧器のタップ切換を行なう場合の無停電タップ切換装置に取付けた確認装置に関するものである。
【０００２】
【従来の技術】
一般に、柱上変圧器では６６００Ｖの高圧で供給された電力を、例えば２１０Ｖないし１０５Ｖに落として一般家庭や事業所に供給している。しかしながら配電側の系統変更や需要者側の負荷増大によって到達電圧が変化することがある。このような場合、柱上変圧器のタップを切換えて適切な電圧に調整することが必要となる。この時、柱上変圧器の電源を遮断して停電状態でタップ切換作業を行なうことは需要者に多大の迷惑をかけることから、近年は無停電状態でタップの切換作業を行なうようになってきた。
【０００３】
この無停電でタップ切換えする方法としては、移動変圧器を現場に搬入して電源を切換えて作業する方法（例えば特許文献１参照）や、柱上変圧器と柱上や地上に取付けたタップ切換器とをケーブルで接続し、柱上変圧器のタップに流れる電流をタップ切換器側に切換えてバイパスさせている間に、柱上変圧器のタンク内に設けられたタップの切換作業を行なう方法などが行なわれている。
【０００４】
しかしながらタップ切換器の接触子と柱上変圧器のタップ端子を接続してから、タップ端子間を接続するタップバーを取外し、新たな電圧設定に応じたタップ端子間にタップバーを接続し直すタップ切換作業を短時間のうちに確実、且つ安全に行なうには十分な経験を必要としていた。例えばタップ切換器の接触子と柱上変圧器のタップ端子の接続が不十分な場合や、タップ切換器の操作棒を順次回転して所定のタップ位置まで切換える回転操作を誤る恐れがあった。
【０００５】
【特許文献１】
特開平７ー２２０９５８（段落１４ー１８  図１）
【０００６】
【発明が解決しようとする課題】
本発明は上記問題を改善し、柱上変圧器の電圧設定を変更するタップ端子間に、新たにタップバーを接続してタップ切換を行なう場合に、現在の接続状態を確認すると共に、目的とする変圧状態まで昇圧または降圧するタップ位置までタップ切換することができる柱上変圧器無停電タップ切換確認装置を提供するものである。
【０００７】
【課題を解決するための手段】
本発明の請求項１記載の柱上変圧器無停電タップ切換確認装置は、切換用操作棒を順次回転してタップ端子の接続状態を切換えるタップ切換装置の前記操作棒に、切換前の変圧状態のタップ位置から目的とする変圧状態まで昇圧または降圧するタップ位置まで、切換用操作棒の回転範囲を規制するタブレットを取付けると共に、タップ切換装置に、柱上変圧器のタップ台に設けられた複数のタップ端子に接続する接続端子を設け、この接続端子に接続されて柱上変圧器のタップ端子間の電圧を測定するタップ端子間電圧測定回路を設け、このタップ端子間測定電圧と切換前の変圧状態により規定されたタップ端子間規定電圧とを比較する比較回路を設け、タップ端子間測定電圧がタップ端子間規定電圧の範囲を外れた時に警報を出す警報回路を設けたことを特徴とするものである。
【０００８】
また請求項２記載の柱上変圧器無停電タップ切換確認装置は、切換用操作棒の側面にストッパーが突設され、タブレットの上面の扇形部分の端部にタップバーの取付けと取外しの指示標が形成され、この両側に扇形状の段部が突設され、前記ストッパーが段部の端面に当接して、切換用操作棒の回転範囲を規制するようにしたことを特徴とするものである。
【０００９】
また請求項３記載の柱上変圧器無停電タップ切換確認装置は、切換用操作棒が上部と下部の２分割構造をなし、下部切換用操作棒の上部に、回転円板部を着脱自在に取付けると共に、これを囲んでリング状のタブレットを着脱自在に取付けて、上部切換用操作棒を下部切換用操作棒から取外して、前記回転円板部とタブレットを交換できるようにしたことを特徴とするものである。
【００１０】
更に、請求項４記載の柱上変圧器無停電タップ切換確認装置は、タップ切換装置が、切換用操作棒を順次回転してタップ位置を切換えるタップ切換器と、前記タップ切換器の下部に設けられ、柱上変圧器のタンク内に設けられたタップ台に取付けるタップ台取付部と、タップ台の上面に設けられた複数のタップ端子と着脱自在に嵌合する可動接触子とから構成されていることを特徴とするものである。
【００１１】
【発明の実施の形態】
以下本発明の実施の一形態を図１ないし図１３を参照して詳細に説明する。図１において５はタップ切換装置を示すもので、本体ケース７の内側に切換用操作棒１０を順次回転してタップ位置を切換えるタップ切換器８と確認装置６が設けられている。この切換用操作棒１０は絶縁材料で形成され、上部にハンドル１１が取付けられている。この切換用操作棒１０は、上部切換用操作棒１０Ａと下部切換用操作棒１０Ｂの分割構造となっており、上部切換用操作棒１０Ａの下部には平面コ字形の接続溝９Ａが形成されている。また下部切換用操作棒１０Ｂの上部には、前記コ字形の接続溝９Ａに嵌合する平面コ字形の接続突起９Ｂが形成されている。
【００１２】
下部切換用操作棒１０Ｂには、図１２（Ｂ）に示すように、複数のスイッチの接点ＳＷ１〜ＳＷ３が突設され、下部切換用操作棒１０Ｂを回転させることにより、タップ端子１〜４との接続状態が順次切り替わるタップ切換器８が構成されている。また前記タップ切換器８の下部には、図１に示すようにタップ台取付部１２が設けられている。このタップ台取付部１２の下部には、図２に示すように柱上変圧器１４のタンク１５内に取付けられたタップ台１６を挿入して保持する逆凹形に形成された取付溝１３が形成されている。
【００１３】
またこの逆凹形に形成された取付溝１３の片側には、図２に示すようにタンク１５内に取付けたタップ台１６に、タップ切換装置１を固定するタップ固定用スライド部１８が設けられている。またタップ固定用スライド部１８の上の取付溝１３の両側には、図５および図６に示すように支持ブロック１９、１９が左右に出没自在に取付けられ、ここにワニ口状に形成された可動接触子２０Ａ〜２０Ｄが取付けられている。
【００１４】
また前記タップ切換器８から突出した下部切換用操作棒１０Ｂの上部には図８および図９に示すように、下部切換用操作棒１０Ｂと連動して一方向に回転する回転円板部２１が設けられている。この回転円板部２１は図９に示すように、この下部外周に歯車状の複数の突起を設けて爪車２２を形成し、軸１７に回動自在に支持された爪２３と組合せて一方向に回転できるラチェット機構を形成している。この爪車２２を形成した回転円板部２１は、下部切換用操作棒１０Ｂの上部に形成した平面コ字形の接続突起９Ｂに着脱自在に取付けられ、下部切換用操作棒１０Ｂと共に回転するようになっている。また爪２３も軸２６に着脱自在に取付けられ、その取付け方向を変えて、回転方向を規制できるようになっている。
【００１５】
このタブレット２４の上面の４分の１の部分には図９に示すように、指示標２５が記載され、切換用操作棒１０の回転順序と、作業内容が記載されていると共に、４分の３の部分には扇形状の段部２６が突設されている。また上部切換用操作棒１０Ａの下部側面にはストッパー２７が突設され、上部切換用操作棒１０Ａが回転してストッパー２７が段部２６の端面に当接して図８に示すように回転範囲を規制するようになっている。
【００１６】
またタップ台１６を固定する前記固定用スライド部１８は、図２に示すように絶縁材で形成された固定用操作棒２９で駆動するようになっている。固定用操作棒２９の下端には図３に示すようにピニオン歯車３０ａが取付けられ、これと固定用スライド部１８の側面に形成したラック３１ａが噛合して、固定用スライド部１８を逆凹形に形成された取付溝１３の側面から内側に出没自在に支持するようになっている。
【００１７】
また固定用操作棒２９の上端には図２に示すように、ハンドル２８Ａが取付けられていると共に、固定用操作棒２９の外側に絶縁筒３３が同軸に取付けられて一体に回転すると共に、軸方向に移動できるようになっている。この絶縁筒３３の上部にはフランジ３４が取付けられていると共に、これと前記固定用操作棒２９のハンドル２８Ａとの間にコイルスプリング３５が介在されている。また絶縁筒３３の下端にはストッパーピン３６が突設され、これはタップ台取付部１２の上面に形成したロック溝３７に嵌合するようになっている。
【００１８】
また可動接触子２０を取付けた支持ブロック１９は、図５に示すように別の接続用操作棒３８に取付けたハンドル２８Ｂで駆動するようになっている。接続用操作棒３８の下端には図６に示すようにピニオン歯車３０ｂが取付けられ、これと一方の支持ブロック１９の側面に形成したラック３１ｂが噛合している。
【００１９】
また対向する支持ブロック１９の側面には棒状のラック３１ｃが取付けられ、これとピニオン歯車３０ｂが噛合するようになっている。このピニオン歯車３０ｂの回転により両側で噛合するラック３１ｂ、３１ｃが互いに逆方向に移動して、支持ブロック１９、１９に取付けたワニ口状の可動接触子２０Ａ〜２０Ｄを逆凹形に形成された取付溝１３の側面から内側に出没自在に支持するようになっている。この可動接触子２０Ａ〜２０Ｄは、タンク１５内に設けたタップ台１６の上に千鳥状に配置したタップ端子１〜４と嵌合するようになっている。
【００２０】
なお可動接触子２０Ａ〜２０Ｄを操作する接続用操作棒３８には、図５に示すように絶縁筒３３が同軸に取付けられ、この下端に形成したストッパーピン３６、これが嵌合するロック溝３７、コイルスプリング３５の構成は、図２に示す固定用スライド部１８を移動させる固定用操作棒２９と同様の構成である。
【００２１】
またタップ切換器８の上面には図１に示すように、このタップ切換器８の接続状態と、タップ台１６の上面に設けた複数のタップ端子１〜４と可動接触子２０Ａ〜２０Ｄとの接続状態とを示す表示盤３９が取付けられている。この表示盤３９はタップ切換器８の接続状態を示すもので、タップ端子１〜４と可動接触子２０Ａ〜２０Ｄの接続が確実に行なわれ、適正な接続状態であると表示灯３９ａ、３９ｂが点灯し、また例えば６７５０Ｖ、６６００Ｖ、６４５０Ｖに切換えた時に、それぞれの接続状態を表示する表示灯３９ｃ、３９ｄ、３９ｅが点灯するようになっている。
【００２２】
また確認装置６は図１１に示すようにタップ切換装置５に接続されたタップ端子間電圧測定回路５０とタップ端子間規定電圧設定回路５１と、これらに接続された比較回路５２と、この比較回路５２に接続された警報回路５３および表示盤３９とから構成されている。
【００２３】
前記タップ端子間電圧測定回路５０は、図７に示すようにタップ台１６の上面に突設したタップ端子１〜４に接続した可動接触子２０Ａ〜２０Ｄから、各タップ端子１〜４の間の電圧を測定するようになっている。この各タップ端子１〜４を設けた巻線の接続図は図１２（Ａ）に示すようになる。またタップ端子間規定電圧設定回路５１は、例えば６７５０Ｖ、６６００Ｖ、６４５０Ｖの場合に、表１に示すようにそれぞれ規定されたタップ端子間電圧が設定されている。
【００２４】
【表１】
2004221403.tif 000003
【００２５】
また前記比較回路５２は、タップ端子間電圧測定回路５０で測定されたタップ端子間測定電圧と、タップ端子間規定電圧設定回路５１からのタップ端子間規定電圧とを比較して、設定値から外れる場合に警報回路５３に信号を出力して警報ブザーを鳴らすようになっている。また設定値以内であれば表示盤３９の表示灯３９ａ〜３９ｅを点灯させるようになっている。
【００２６】
なお図１において４１は絶縁保護カバーで、プラスチックで形成された角筒部４１ａの上面に円板部４１ｂを一体に設けたもので、角筒部４１ａを柱上変圧器１４のタンク１５に挿入し、高圧から絶縁保護した状態でタップ切換装置５を挿入するようになっている。また図５において４４は絶縁棒で形成されたタップバークリップ、４５は絶縁棒で形成されたナットドライバー、５４はタップ端子絶縁棒である。
【００２７】
以下、上記構成のタップ切換装置５でタップ切換えを行なう操作手順を説明する。先ず柱上変圧器１４のタップの電源側が６７５０Ｖに設定されていて、これを６６００Ｖに切換えて降圧する場合、図１０に示す６７５０Ｖから６６００Ｖに切換えるタブレット２４を図８に示すようにタップ切換器８の上部の回転円板部２１を囲むように取付けてストッパーピン３２で回転を固定する。この場合、タブレット２４は、上部切換用操作棒１０Ａのストッパー２７がタップバー取外しの表示に合うように取付ける。
【００２８】
次に図１に示すように、電柱に取付けられている柱上変圧器１４のタンク１５の蓋を取り外して、絶縁保護カバー４１を挿入し、円板部４１ｂをタンク１５の開口部に支持させる。この後、絶縁保護カバー４１の角筒部４１ａからタップ切換装置５を挿入して図２に示すように、タップ台取付部１２の底部に形成した取付溝１３にタップ台１６を挿入してこの上に支持する。
【００２９】
次に固定用操作棒２９のハンドル２８Ａを持って回転させると、固定用操作棒２９の下端には図３に示すようにピニオン歯車３０ａが取付けられ、これと固定用スライド部１８の側面に形成したラック３１ａが噛合して、固定用スライド部１８が図４に示すように逆凹形に形成された取付溝１３の側面から内側に伸出して、その段部１８ａがタップ台１６の下部コーナーに係合してタップ台１６にタップ切換装置５が連結される。
【００３０】
この状態で、固定用操作棒２９の外側に同軸に取付けられた絶縁筒３３も同時に回転し、下端に設けたストッパーピン３６がコイルスプリング３５で押圧されて、タップ台取付部１２の上面に形成したロック溝３７に嵌合してロックされる。
【００３１】
次に図５に示すようにハンドル２８Ｂを持って接続用操作棒３８を回転させると、図６の状態から接続用操作棒３８の下端に取付けたピニオン歯車３０ｂが回転し、これと一方の支持ブロック１９の側面に形成したラック３１ｂが図７に示すように噛合して前進すると共に、ピニオン歯車３０ｂに噛合する棒状のラック３１ｃが移動して、前記支持ブロック１９と対向する支持ブロック１９も互いに逆向きに移動する。この結果支持ブロック１９、１９に取付けたワニ口状の可動接触子２０Ａ〜２０Ｄは、タップ台１６のタップ端子１〜４に接続される。
【００３２】
この状態で、タップ端子１〜４に可動接触子２０Ａ〜２０Ｄが全て接続されると、確認装置６のタップ端子間電圧測定回路５０でタップ端子１〜４の電圧がそれぞれ測定される。これを図１３で説明すると、例えば６７５０Ｖの時のタップ端子間規定電圧設定回路５１のタップ端子１〜２間の設定電圧は表１から１５０Ｖであるので、これと測定したタップ端子１〜２間の電圧とを比較回路５２で比較して、正しければ表示盤３９に信号が出力されて表示灯３９ａが点灯する。
【００３３】
またタップ端子間規定電圧設定回路５１のタップ端子３〜４間の設定電圧は１５０Ｖであるので、これと測定したタップ端子３〜４間の電圧とを比較回路５２で比較して、正しければ表示盤３９に信号が出力されて表示灯３９ｂが点灯し、タップ端子１〜４と可動接触子２０Ａ〜２０Ｄの接続が確実に行なわれていることが確認される。この場合、表示灯３９ａ、３９ｂが点灯しないと、警報回路５３の警報ブザーが鳴る。
【００３４】
またタップ端子間規定電圧設定回路５１のタップ端子２〜３間の設定電圧は０Ｖであるので、これとタップバー４０で接続されたタップ端子２〜３間の測定電圧とを比較回路５２で比較して、正しければ表示灯３９ｃが点灯し、正しいタブレット２４が取付けられていることが確認される。
【００３５】
またタップ端子２〜３間の測定電圧が０Ｖでないと警報回路５３に信号が出力されて警報ブザーが鳴る。警報ブザーが鳴った場合には、異常個所を点検して、タップ切換装置５を柱上変圧器１４から取外す。もし間違ったタブレット２４が取付けられていた場合には、６７５０Ｖから６６００Ｖに切換えさせる正しいタブレット２４に交換してから再度、柱上変圧器１４のタップ台１６に取付けて、ハンドル２８Ｂを回転させて、タップ端子１〜４と可動接触子２０Ａ〜２０Ｄの接続を行なう。
【００３６】
つまり表１から、切換前の変圧状態が６７５０Ｖの時はタップバー４０は、タップ端子２ー３間に接続されていて電圧は０Ｖとなっているが、誤って６６００Ｖから６７５０Ｖに昇圧するタブレット２４を取付けると、表示灯３９ａ、３９ｂは点灯するが、表示灯３９Ｃが点灯せず警報ブザーが鳴る。
【００３７】
この結果、表示灯３９ａ、３９ｂ、３９ｃが全て点灯し、警報ブザーが鳴らなかったら、次に図５に示すようにタップ端子絶縁棒５４をタップ端子１、４に被せてから、タップバークリップ４４でタップバー４０をつかんだ後、タップ端子２、３のナット４６にナットドライバー４５を差し込んで緩めて、タップバークリップ４４に保持されていたタップバー４０を取外す。タップバー４０を外すと電流はタップバー４０からタップ切換器８側に流れて、ここで電圧調整が行なわれる。
【００３８】
次に図８に示すようにタップ切換器８のハンドル１１を持って切換用操作棒１０を矢印方向に回転させて、タップバー取外しの表示のある段部２６の端面に上部切換用操作棒１０Ａのストッパー２７を当接して停止させる。
【００３９】
この後、タップ端子絶縁棒５４をタップ端子１からタップ端子２に取り換える。次にタップバークリップ４４で保持していたタップバー４０を、図７に仮想線で示すようにタップ端子１、３間に取付ける。この後、ナットドライバー４５でタップ端子１、３にナット４６…を取付けて、タップ端子１、３間の接続を完了する。
【００４０】
この一連の操作を図１２で説明すると、柱上変圧器１４は切換前の運転状態では図１２（Ａ）に示すように、タップ端子２ー３間がタップバー４０で接続されて６７５０Ｖに変圧している。次に図１２（Ｂ）に示すように、タップ端子１〜４にタップ切換器８を接続する。このタップ切換器８は、接点ＳＷ１をタップ端子２に接続し、接点ＳＷ２をタップ端子１から開いた状態の位置になるように切換用操作棒１０の回転位置を規定した、６７５０Ｖから６６００Ｖに切換えるタブレット２４を取付ける。この状態で負荷電流は、タップバー４０と接点ＳＷ１を流れ、この時、タップ端子１〜４間の電圧が測定され、図１３に示す接続確認が行なわれる。
【００４１】
次に図１２（Ｃ）に示すようにタップバー４０を取外すと、負荷電流はタップ端子２から接点ＳＷ１を通ってタップ端子３に流れる。この後、切換用操作棒１０を回転させ、接点ＳＷ３をタップ端子３に接続すると、図１２（Ｄ）に示すように限流抵抗Ｒに循環電流が流れる。更に切換用操作棒１０を回転させ、接点ＳＷ１を開くと図１２（Ｅ）に示すように負荷電流は限流抵抗Ｒを流れる。更に切換用操作棒１０を回転させ、接点ＳＷ２をタップ端子１に接続すると、図１２（Ｆ）に示すように負荷電流はタップ端子１から接点ＳＷ２を経てタップ端子３に流れて６６００Ｖに切換えられる。次に図１２（Ｇ）に示すように、タップ端子１ー３間にタップバー４０を接続する。この後、図１２（Ｈ）に示すように、タップ切換器８を取外す。
【００４２】
このようにタップ切換えが完了したら、図１に示すハンドル２８Ｂを逆転させてタップ端子１〜４から可動接触子２０Ａ〜２０Ｄを取外す。次に固定用操作棒２９のハンドル２８Ａを持って逆回転させて、タップ台取付部１２をタップ台１６から取外す。この後、タップ切換装置５を絶縁保護カバー４１から引き出した後、絶縁保護カバー４１も取出してタンク１５の蓋を閉じて工事を完了する。
【００４３】
なお６７５０Ｖから６４５０Ｖまたは６６００Ｖから６４５０Ｖに切換える場合には、別の形状のタブレット２４を使用する。また昇圧する場合には、図１４に示すように爪２３を逆向きに取付けて逆方向に回転するラチェット機構のものを取付ける。またこの場合、６４５０Ｖから６７５０Ｖまで昇圧するタブレット２４は図１５に示すように段部２６は半円状になり回転方向の表示も逆向きになる。このタブレット２４をタップ切換器８のタップ位置を切換える接続用操作棒３８に取付ける場合は、ストッパー２７をタップバー取外しの表示に合わせて取付ける。
【００４４】
なお上記説明ではタップ端子１〜４と可動接触子２０Ａ〜２０Ｄの接続が確実に行なわれていない場合に警報ブザーが鳴るようにしたが表示灯３９ａ、３９ｂだけを表示するようにしても良い。また上記説明では柱上変圧器１４内に挿入してタップ台１６に直接、取付けるタップ切換装置５の確認装置６に適用した場合について説明したが、柱上変圧器１４のタップ端子１〜４と、柱上や地上に設置したタップ切換装置とをケーブルで接続する場合にも適用することができる。この場合、ケーブルを接続するタップ切換装置の接続端子は固定したもので良い。また上記説明ではタップは４タップ端子の場合について示したが、５タップ端子以上いずれでも良く、これに対応して可動接触子の数も選定される。
【００４５】
【発明の効果】
以上説明した如く本発明に係る請求項１記載の柱上変圧器無停電タップ切換確認装置によれば、柱上変圧器の現在のタップ端子間の接続状態を確認できると共に、目的とする変圧状態まで昇圧または降圧するタップ位置までタップ切換することができるので、十分な経験のない作業者でもタップ切換作業を短時間のうちに確実に行なうことができる。
【００４６】
また請求項２記載の柱上変圧器無停電タップ切換確認装置によれば、タブレットの上面の扇形部分の端部にタップバーの取付けと取付しの指示標が形成され、この両側に扇形状の段部が突設され、切換用操作棒のストッパーが段部の端面に当接して、切換用操作棒の回転範囲を規制するようにしたので、確実に切換えることができる。
【００４７】
また請求項３記載の柱上変圧器無停電タップ切換確認装置によれば、切換用操作棒が上部と下部の２分割構造をなし、下部切換用操作棒の上部に、回転円板部を着脱自在に取付けると共に、これを囲んでリング状のタブレットを着脱自在に取付けて、上部切換用操作棒を下部切換用操作棒から取外して、変更する電圧状態に合わせて回転円板部とタブレットを容易に交換することができる。
【００４８】
また請求項４記載の柱上変圧器無停電タップ切換確認装置によれば、装置が小型で柱上変圧器の内部に挿入して簡単に取付けられ、ケーブルを使わずタップ端子に可動接触子を直接、接続できるので、柱上での切換作業が容易で、無停電でのタップ切換作業の効率化を図ることができる。
【図面の簡単な説明】
【図１】本発明の実施の一形態によるタップ切換装置を変圧器内に取付けた状態を示す斜視図である。
【図２】図１のタップ台を取付溝内に挿入した状態のタップ台取付部の構成を示す説明図である。
【図３】タップ台と固定用スライド部の動作を平面的に示す説明図である。
【図４】タップ台を固定用スライド部で保持した状態のタップ台取付部の構成を示す説明図である。
【図５】タップ台のタップ端子に可動接触子が嵌合した状態を示すタップ台取付部の構成を示す説明図である。
【図６】タップ台のタップ端子に可動接触子が嵌合する前の状態を平面的に示す説明図である。
【図７】タップ台のタップ端子に可動接触子が嵌合した状態を平面的に示す説明図である。
【図８】タップ切換器の操作部分を示す斜視図である。
【図９】タップ切換器の操作部分を分解して示す斜視図である。
【図１０】降圧用のタブレットを示す平面図である。
【図１１】確認装置の構成を示すブロック図である。
【図１２】（Ａ）〜（Ｈ）はタップ切換器の動作を説明する説明図である。
【図１３】確認装置の動作を説明するフローチャートである。
【図１４】タブレットを外した状態の、昇圧用のラチェット機構を示す平面図である。
【図１５】昇圧用のタブレットを示す平面図である。
【符号の説明】
１〜４タップ端子
５  タップ切換装置
６  確認装置
８    タップ切換器
１０  切換用操作棒
１０Ａ上部切換用操作棒
１０Ｂ下部切換用操作棒
１２  タップ台取付部
１３  取付溝
１４  柱上変圧器
１５  タンク
１６  タップ台
１８  固定用スライド部
１９  支持ブロック
２０Ａ可動接触子
２４  タブレット
２６  段部
２９  固定用操作棒
３８  接続用操作棒
３９  表示盤
４０  タップバー
４１  絶縁保護カバー
５０  タップ端子間電圧測定回路
５１  タップ端子間規定電圧設定回路
５２  比較回路
５３  警報回路
５４  タップ端子絶縁棒
【図１】
2004221403.tif 000004
【図２】
2004221403.tif 000005
【図３】
2004221403.tif 000006
【図４】
2004221403.tif 000007
【図５】
2004221403.tif 000008
【図６】
2004221403.tif 000009
【図７】
2004221403.tif 000010
【図８】
2004221403.tif 000011
【図９】
2004221403.tif 000012
【図１０】
2004221403.tif 000013
【図１１】
2004221403.tif 000014
【図１２】
2004221403.tif 000015
【図１３】
2004221403.tif 000016
【図１４】
2004221403.tif 000017
【図１５】
2004221403.tif 000018